(57)【要約】【課題】多数の洗濯物を効率良く乾燥できる物干し器を提供する。【解決手段】円弧状に湾曲した同一形状のアーム部１２が、アーム部１２の上部に配置された複数本の連結アーム１３により拡開自在に連結されている。  連結アーム１３はアーム部１２よりも短くされ、１本の連結アーム１３は隣接する３本のアーム部１２に跨がって斜め方向に取り付けられ、連結アーム１３の中央及び両端において回転軸１４を介して３本のアーム部１２に回動自在に連結されている。  連結アーム１３の両端に設けた回転軸１４の近傍のアーム部１２も下部、及びアーム部１２の両端の下部には、半円環状の吊環１７が形成され、これらの吊環１７には、洗濯物挟持用のばね付のピンチ部１８がそれぞれ吊り下げられている。【選択図】図１
2018011768.tif 000002
【特許請求の範囲】
【請求項１】
湾曲又は屈曲している複数本の同一形状のアーム部が複数本の連結アームにより回動軸を介して連結され、前記アーム部間の間隙を伸縮可能とした物干し器であって、
少なくとも前記アーム部の両端の下にピンチ部を配置し、該両端のピンチ部間の前記アーム部の下にピンチ部を配置したことを特徴とする物干し器。
【請求項２】
前記アーム部は、両端が中央から対称になるように湾曲又は屈曲していることを特徴とする請求項１に記載の物干し器。
【請求項３】
前記ピンチ部は等間隔でアーム部の下に配置されていることを特徴とする請求項１又は２に記載の物干し器。
【請求項４】
１本の前記連結アームの中央は、１本の前記アーム部の中央に回動自在に連結しており、前記１本の連結アームの端部は、前記１本のアーム部に隣接する前記アーム部に回動自在に連結していることを特徴とする請求項１〜３の何れか１項に記載の物干し器。
【請求項５】
複数の前記連結アームの上部には、前記連結アームに対して回転自在でかつ折り畳み自在のフック部が設けられていることを特徴とする請求項１〜４の何れか１項に記載の物干し器。
【請求項６】
両側に配置した前記連結アーム及び中央に配置した前記連結アームの上に、前記連結アームに対して回転自在でかつ折り畳み自在のフック部が設けられていることを特徴とする請求項１〜４の何れか１項に記載の物干し器。
【請求項７】
前記フック部を隣接する前記フック部のフック基部に係止することで、前記アーム部同士を密着させた状態で保持するようにしたことを特徴とする請求項５又は６に記載の物干し器。
【発明の詳細な説明】
【技術分野】
【０００１】
本発明は、複数のアーム部を自在に伸縮可能とした物干し器に関するものである。
【背景技術】
【０００２】
特許文献１には、複数個の棒状の支持板１を組合わせて、自在に伸縮できるようにした洗濯物干用ハンガーが開示されている。
【０００３】
この洗濯物干用ハンガーは、棒状の支持板１を固定ピン２で連結し、固定ピン２の下部にピンチ４を取り付け、支持板１の間隙を拡開した状態で、洗濯物をこのピンチ４で挟んで吊り下げるようになっている。
【０００４】
洗濯物を吊り下げる際は、取り付け作業時に作業する人の腕の動きを少なくするために、支持板１同士を寄せた状態で、ピンチ４に洗濯物を取り付けることがある。そして、洗濯物の取り付けが完了した際に、洗濯物干用ハンガーを乾燥させる場所に応じて拡開して乾燥させることになる。
【先行技術文献】
【特許文献】
【０００５】
【特許文献１】実開平６−４１６９１号公報
【発明の概要】
【発明が解決しようとする課題】
【０００６】
上述の洗濯物干用ハンガーを拡開する前に、ピンチ４に洗濯物を取り付ける際に、例えば多数のバスタオルと多数のハンドタオルを同時にピンチ４に取り付けたい場合では、１つの支持板１の両端のピンチ４でバスタオルの両端を保持すると、ハンドタオルの両端を保持するピンチ４が不足することになる。
【０００７】
また、小さいタオルの一端のみを支持板１の中央のピンチ４のみで保持したとしても、支持板１が棒状であるため小さいタオルが大きいタオルに接触してしまい乾き難くなるという問題がある。バスタオルに代えてＴシャツ等とし、ハンドタオルに代えて、靴下等にしても同様に洗濯物同士が接触してしまい、洗濯物が十分に乾燥せずに生乾き状態になってしまうことがある。
【０００８】
更に、不使用時にコンパクトになる洗濯物干用ハンガーは、壁等に吊るした状態で保管しようとすると、支持板が拡開してしまうという問題もある。
【０００９】
本発明の目的は、上述の問題点を解消し、多数の洗濯物を効率良く乾燥させることができ、かつ縦置きした状態でもコンパクトに保管できる伸縮可能な物干し器を提供することにある。
【課題を解決するための手段】
【００１０】
上記目的を達成するための本発明に係る物干し器は、湾曲又は屈曲している複数本の同一形状のアーム部が複数本の連結アームにより回動軸を介して連結され、前記アーム部間の間隙を伸縮可能とした物干し器であって、少なくとも前記アーム部の両端の下にピンチ部を配置し、該両端のピンチ部間の前記アーム部の下にピンチ部を配置したことを特徴とする。
【発明の効果】
【００１１】
本発明に係る物干し器によれば、ピンチ部を取り付けたアーム部を湾曲させることで、洗濯物同士が接触することなく乾燥させることが可能である。また、アーム部を拡開する大きさを乾燥させる場所に応じて調整可能であり、効率良く乾燥させることができる。また、隣接するフック部の下方の基部にフック部を係止することで、縮小状態を維持することが可能である。
【図面の簡単な説明】
【００１２】
【図１】実施例の物干し器を上方から見た斜視図である。
【図２】物干し器を下方から見た斜視図である。
【図３】物干し器を拡開した状態の斜視図である。
【図４】アーム部の間隙を広げた状態の説明図である。
【図５】物干し器の保管時の側面図である。
【発明を実施するための形態】
【００１３】
本発明を図示の実施例に基づいて詳細に説明する。
図１は実施例の物干し器を上方から見た斜視図、図２は下方から見た斜視図であり、大きさは図１の状態でアーム部の横幅４０ｃｍ、縦幅２０ｃｍ、高さ１５ｃｍ程度である。物干し器のアーム部の大きさや連結するアーム部の個数は、使用する場所に応じて適宜のサイズのものを採択できる。
【００１４】
物干し器１１の主たる部材は合成樹脂の成型品とされ、円弧状に湾曲した同一形状の複数本のアーム部１２が、アーム部１２の上部に配置された複数本の連結アーム１３により拡開自在に連結されている。物干し器１１は合成樹脂製以外にもアルミニウム等の適宜の材料を利用してもよい。
【００１５】
また、実施例ではアーム部１２は円弧状に緩やかに湾曲しているが、円弧形状以外に例えば棒体の両側を斜め方向に折り曲げた、又は棒体の中央から「く」の字状に折り曲げた屈曲形状のものであってもよく、アーム部１２の両端が中央から対称になるように湾曲又は屈曲していればよい。
【００１６】
連結アーム１３はアーム部１２よりも短く、１本の連結アーム１３は隣接する３本のアーム部１２に跨がって斜め方向に取り付けられている。１本の連結アーム１３の中央は、１本のアーム部１２の中央に回動自在に連結しており、前述の１本の連結アーム１３の端部は、前述の１本のアーム部１２に隣接するアーム部１２に回動自在に連結している。
【００１７】
これにより、回転軸１４を介して隣接する３本のアーム部１２ずつがそれぞれ回動自在に連結アーム１３により連結されていることになる。なお、両側の連結アーム１３’は両側の２本のアーム部１２ずつのみを連結しているために、他の連結アーム１３の半分の長さとされている。
【００１８】
実施例では、両側の連結アーム１３’と中央の連結アーム１３”の３本の連結アームの回転軸１４上には、鉤型のフック部１５がフック基部１６を介して取り付けられており、フック部１５には必要に応じてフック係止具１５ａが付設されている。
【００１９】
フック部１５の下端には、円柱状の突片部１５ｂが設けられており、この突片部がフック基部１６の頂部から側面部に掛けて設けた溝部１６ａ内に収納されている。溝部１６ａの幅は、突片部１５ｂの幅よりも小さいことから、フック部１５はフック基部１６から外れることなく、フック部１５とフック基部１６とが連結される。
【００２０】
フック部１５はフック基部１６に対して軸中心に回転可能とされており、フック部１５の突片部１５ｂは溝部１６ａ内を自由に移動させることが可能である。従って、フック部１５は直交方向に倒して水平方向に折り畳むことが可能とされている。更に、フック基部１６は回転軸１４の軸中心に回転可能であるため、フック部１５は任意の方向に自由に倒して折り畳めることができる。
【００２１】
また、アーム部１２の下部の複数個所、例えば実施例では回転軸１４の近傍のアーム部１２及びアーム部１２の両端下部には、半円環状の吊環１７が形成されている。これらの吊環１７には、洗濯物挟持用のばね付のピンチ部１８がＳ字状の連結部１９を介してそれぞれ吊り下げられている。
【００２２】
なお実施例では、連結アーム１３の中央の回転軸１４付近には吊環１７を設けており、これの吊環１７にはピンチ部１８を吊り下げていないが、これの吊環１７にもピンチ部１８を取り付けることもできる。また、実施例ではアーム部１２に２組の計４個のピンチ部１８を等間隔に取り付けているが、少なくともアーム部１２の両端の下にピンチ部１８を配置し、これらの両端のピンチ部１８間のアーム部１２の下に複数個のピンチ部１８、例えば４個のピンチ部１８を等間隔に配置し、合計６個のピンチ部１８をアーム部１２に取り付けるようにしてもよい。
【００２３】
または、例えばフック基部１６下に１個のピンチ部１８を配置して、合計３個のピンチ部１８をアーム部１２に取り付けるようにしてもよく、少なくともアーム部１２の両端の下にピンチ部１８を配置し、且つ両端のピンチ部１８間のアーム部１２の下に単数、又は複数のピンチ部１８を配置することが可能である。
【００２４】
使用時には、先ず図３に示すように両端のアーム部１２を左右方向へ引っ張ることで拡開した状態にし、フック部１５を物干竿等に掛ける。この際に必要に応じてフック係止具１５ａを用いてフック部１５の鉤型の開口を閉止して、物干竿等から外れないようにする。そして、各ピンチ部１８に乾燥すべき各洗濯物の一端を挟んで吊り下げていく。
【００２５】
なお、吊り下げ作業時の腕の移動量を少なくするために、アーム部１２同士を寄せて縮小した状態で各洗濯物を吊り下げてから、アーム部１２を拡開するようにしてもよい。
【００２６】
洗濯物を早く乾燥させるためには、各洗濯物間に十分な間隔を有する程度までアーム部１２を拡開する必要がある。また、アーム部１２を拡開する長さが長い程、つまり物干し器１１の横幅を長くする程、拡開した際の物干し器１１の縦幅が短くなるので、乾燥させる場所の奥行きに応じて、拡開する長さを調整することが好ましい。
【００２７】
アーム部１２は湾曲しているので、ピンチ部１８に洗濯物を吊り下げると、図４に示すように１本のアーム部１２には、中央の回転軸１４の下方の２つのピンチ部１８を用いて幅の狭い、例えばハンドタオル等の洗濯物Ａを吊るすことができ、アーム部１２の両端のピンチ部１８を用いて幅の広い、例えばバスタオル等の洗濯物Ｂを吊り下げることができる。
【００２８】
このように、本実施例の物干し器１１では、１本のアーム部１２に例えば２つの洗濯物Ａ、Ｂを吊り下げても、これらの隣合う洗濯物Ａ、Ｂは接することはない。従って、洗濯物Ａ、Ｂ間には十分な間隙が生じ、風通しの良い状態で乾燥させることができる。
【００２９】
洗濯物を乾燥させた後は、ピンチ部１８から洗濯物Ａ、Ｂを取り外し、各アーム部１２を密着させて保管する。保管時には図５に示すようにフック部１５を用いて仕切壁Ｗに引っ掛けることにより、保管することができる。
【００３０】
即ち、アーム部１２同士を密着し、３個のフック部１５のうちの２個を折り畳んで、隣接するフック部１５のフック基部１６に係止することにより、アーム部１２の密着状態を保持できる。このようにした物干し器１１は、更に残りのフック部１５により仕切壁Ｗの上端に引っ掛けることで、コンパクトに物干し器１１を保管することができる。
【００３１】
このように、物干し器１１は複数のピンチ部１８を取り付けたアーム部１２を湾曲させることで、洗濯物同士が接触することなく乾燥させることが可能である。また、アーム部１２の拡開する大きさを乾燥させる場所に応じて調整でき、効率良く乾燥させることができる。
【符号の説明】
【００３２】
１１  物干し器
１２  アーム部
１３、１３’、１３”  連結アーム
１４  回転軸
１５  フック部
１６  フック基部
１８  ピンチ部
【図１】
2018011768.tif 000003
【図２】
2018011768.tif 000004
【図３】
2018011768.tif 000005
【図４】
2018011768.tif 000006
【図５】
2018011768.tif 000007